(57)【特許請求の範囲】
【請求項１】
顔料などの着色剤を含有するボールペン用インキ組成物において、溶剤として、少なくとも炭素数１２〜１５のアルキル基を有するアルキルベンゾエートを用いたことを特徴とするボールペン用インキ組成物。
【発明の詳細な説明】
【０００１】
【発明の属する技術分野】
この発明は顔料などの着色剤を含有するボールペン用インキ組成物に関し、それら着色剤の分散安定性に優れた効果を有し、なお且つインキが使用者に与える不快臭を抑え、使用者に対する安全性に優れたボールペン用インキ組成物に関するものである。
【０００２】
【従来の技術】
従来、ボールペン用インキ組成物の着色剤として顔料を用いる試みがなされてきたが、経時的に顔料粒子が凝集し粗大な粒子が形成されてしまい、インキ組成物中で沈降したり、ボールペンチップにおいてボールとそのボール座との間に形成される空間に凝集・沈降した顔料粒子が詰まることがあり、良好な筆記感が得られないばかりか筆記不良を生じてしまうことがある。そのため、着色剤として顔料を含有するインキ組成物を用いたボールペンではインキ組成物を攪拌する機構を付与したり、インキ組成物の粘性を上げることにより顔料の沈降を抑えかつ常にインキ組成物を加圧する機構を設けてインキ組成物をボールペン先端まで送る工夫などがなされてきたが、このような技術では顔料粒子が凝集して沈降するという問題を避けられず、やはり顔料の微細化や再凝集防止化などの技術が必要である。
【０００３】
このような問題を解決するために特公平８−１３９４９号には揮発分が大きく且つ粒子径の小さなカーボンブラックを用いた筆記用油性顔料インキ組成物が記載されているが、これは粒子径などが限定されたカーボンブラックのみ有する性質によって凝集・沈降を防ぐものであり、着色剤として用いられる顔料が限定されているに過ぎない。
【０００４】
【発明が解決しようとする課題】
現時点において優れた筆記性能を有し、尚且つその筆記性能を維持するために十分な保存安定性を有するボールペン用インキ組成物を得るためには上述の技術は満足できるものではなく、顔料粒子の沈降を生じる等の問題が解決されぬまま数多く残されている。ボールペンのような精密な機構を有する筆記具においても用いることができるボールペン用インキ組成物とは、前述のように顔料粒子の微細化や再凝集防止化を図ったものである。
【０００５】
また、これまで筆記具に用いられるインキ組成物には、一般の油性塗料に用いられるような臭気が強い溶剤が用いられたこともあったが、筆記具は人々が日常生活において頻繁に使用するものであるため安全性を考慮するべきであり、臭気の強い溶剤や毒性の高い溶剤の使用を避けるべきである。この発明は、顔料などの着色剤を含有するボールペン用インキ組成物における上述の問題を解決するためになされたものであり、顔料などの着色剤の分散安定性に優れた効果を有し、なお且つインキが使用者に与える不快臭を抑え、使用者に対する安全性に優れたボールペン用インキ組成物を提供するものである。
【０００６】
【課題を解決するための手段】
この発明は前述したこれらの欠点を解決すべく鋭意研究を重ねた結果、顔料などの着色剤を含有するボールペン用インキ組成物において、溶剤として、少なくとも炭素数１２〜１５のアルキル基を有するアルキルベンゾエートを用いることにより前述の問題点を解決できることを見出した。
【０００７】
溶剤には少なくとも炭素数１２〜１５のアルキル基を有するアルキルベンゾエートを用いることが必須であるが、該溶剤と２−フェノキシエタノール、ベンジルアルコール等の溶剤との組み合わせであってもよい。特に炭素数１２〜１５のアルキル基を有するアルキルベンゾエートはインキ全量に対し５〜９５重量％の範囲で用いることが好ましく、さらに有機顔料若しくはカーボンブラックを着色剤として適用すれば、その効果をより一層発揮させることができる。
【０００８】
また、炭素数１２〜１５のアルキル基を有するアルキルベンゾエートは高沸点化合物であり日常の雰囲気下では蒸気を発しにくく、使用者に対して不快臭を与えず、毒性は極めて低いものであり、人体に対する安全性にも優れている。
【０００９】
理論的には定かではないが、この発明に用いる炭素数１２〜１５のアルキル基を有するアルキルベンゾエートより炭素数の少ないアルキル基を有するアルキルベンゾエート、例えばメチルベンゾエート、エチルベンゾエート、ヘキシルベンゾエート等では顔料粒子の分散安定性を十分に寄与することがない。そればかりか、ボールペンの基本性能である初筆性、脱キャップ性や筆記の滑らかさ等の点においても効果が見られない。
【００１０】
この発明に含有される着色剤は、公知の各種顔料が使用可能であり、具体的にはカーボングラック、酸化チタン等の無機顔料やアゾ系顔料、フタロシアニン系顔料、アンスラキノン系顔料、インジゴ系顔料、メラミン系顔料等の有機顔料を単独または二種以上組み合わせて用いることができる。
【００１１】
また、顔料などの着色剤の分散安定性を向上させると共に、インキの筆記面への定着性を向上させるために、樹脂が溶解配合される。この発明において用いられる樹脂としては用いる溶剤に溶解可能であれば限定されるものではないが、例えば、ポリメタクリル酸エステル樹脂、ポリアクリル酸エステル樹脂、ポリビニルブチラール樹脂、ポリビニルピロリドン等のビニル系樹脂、炭化水素系樹脂、フェノール樹脂、ケトン樹脂、マレイン酸樹脂、スチレン／アクリル酸共重合体、メチルビニルエーテル／無水マレイン酸共重合体などの樹脂を単独または二種以上組み合わせて用いることができる。
【００１２】
更に必要に応じて分散剤、ｐＨ調整剤、防錆剤、防腐剤、防黴剤などの添加剤も適宜選択して用いることとする。
【００１３】
【発明の実施の形態】
この発明のボールペン用インキ組成物は、着色剤、溶剤および樹脂を攪拌機により混合攪拌することにより調整される。
【００１４】
【実施例】
以下、実施例により、この発明をより詳細に説明するが、表１中にあげられた実施例および比較例のボールペン用インキ組成物の組成の数値は重量％を示すものである。
【００１５】
【表１】
0003786315.tif 000002
【００１６】
表１中にあげられた原料の内容を注番号に沿って説明する。
（１）Ｐｅｒｍａｎｅｎｔ  Ｒｅｄ  ＦＧＲ（ヘキスト社製、商品名）
（２）Ｐｒｉｎｔｅｘ１５０Ｔ（テグサ社製、商品名）
（３）Ｓｐｅｃｉａｌ  Ｂｌａｃｋ６（テグサ社製、商品名）
（４）Ｈｅｌｉｏｇｅｎ  Ｂｌｕｅ  Ｄ７０７２（ＢＡＳＦ社製、商品名）
（５）Ｇａｎｔｒｅｚ  ＡＮ−１１９（Ｇ．Ａ．Ｆ．社製、商品名）
【００１７】
次に、表１で示した実施例および比較例のボールペン用インキ組成物を前記調製方法により調製し、それらを０．７ｍｍφボールを包持するステンレススチール製ボールペンチップを一端に嵌着されたポリプロピレン製パイプに充填し、これを常温において保存し、調製後の分散の効果を目視により観察した。その観察結果を表２に示す。
【００１８】
【表２】
0003786315.tif 000003
【００１９】
表２中に用いた記号の内容を説明する。
（１）調製１週間後の着色剤の分散性
○：分散性良好
△：着色剤が一部沈降している。
×：着色剤が完全に沈降している。
（２）調製６ヵ月後の着色剤の分散性と凝集性
○：分散性良好であり、着色剤の凝集は見られない。
×：着色剤が完全に沈降してしまい、凝集が見られる。
−：調製１週間後の時点で着色剤が沈降しているので、観察していない。
【００２０】
【発明の効果】
以上のように、この発明のボールペン用インキ組成物は着色剤として一般の有機顔料若しくはカーボンブラックを用い、溶剤として少なくとも炭素数１２〜１５のアルキル基を有するアルキルベンゾエートを用いるものである。樹脂、添加剤等は紙面への定着性の向上のため必要である。この発明に見られるような系では水性溶剤のように顔料の表面官能基を解離させてイオン力による分散力が期待できない。そのため、溶剤と顔料との間で作用する分子間力に期待せざるを得ない。理論的には定かではないが炭素数１２〜１５のアルキル基を有するアルキルベンゾエートは顔料との親和性に優れた効果を発揮することが上記の第２表により明らかである。よって、この発明により顔料などの着色剤の分散安定性に優れ、使用者にインキ特有の不快臭を与えず極めて安全性の優れたインキ組成物を得ることが認められた。